【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
予め成形した、マトリックス樹脂が熱可塑性樹脂からなる繊維強化樹脂Ａを予備成形体として型内に配置し、該型内の前記繊維強化樹脂Ａ周りに液状化した樹脂Ｂを供給して前記繊維強化樹脂Ａをインサート成形する複合成形体の製造方法であって、前記繊維強化樹脂Ａの前記樹脂Ｂに接触する側面として、互いに逆方向に凹型に傾斜する少なくとも２つの傾斜面を有する形状の側面で、かつ、その側面の少なくとも一部に、深さが前記繊維強化樹脂Ａの厚みＴに対し０．１Ｔ〜０．９Ｔの範囲内にあるアンダーカット形状を有する形状の側面を、インサート成形前に形成しておき、インサート成形前に前記繊維強化樹脂Ａを型の内面上に配置し、前記繊維強化樹脂Ａが複合成形体の少なくとも一方の表面に配置されるように前記樹脂Ｂを供給することを特徴とする、複合成形体の製造方法。
【請求項２】
前記繊維強化樹脂Ａが繊維強化樹脂を積層・一体化して得られたものである、請求項１に記載の複合成形体の製造方法。
【請求項３】
前記繊維強化樹脂Ａが、数平均繊維長２ｍｍ以上の強化繊維を含む繊維強化樹脂からなる、請求項１または２に記載の複合成形体の製造方法。
【請求項４】
前記繊維強化樹脂Ａの強化繊維が連続繊維であり、かつ、一方向に配向されている、請求項１〜３のいずれかに記載の複合成形体の製造方法。
【請求項５】
前記液状化した樹脂Ｂが射出成形または射出圧縮成形により型内に供給される、請求項１〜４のいずれかに記載の複合成形体の製造方法。
【請求項６】
前記樹脂Ｂが熱可塑性樹脂からなる、請求項１〜５のいずれかに記載の複合成形体の製造方法。
【請求項７】
前記樹脂Ｂが数平均繊維長２ｍｍ未満の強化繊維を含む樹脂からなる、請求項１〜６のいずれかに記載の複合成形体の製造方法。
【請求項８】
前記繊維強化樹脂Ａの強化繊維、および／または、前記樹脂Ｂの強化繊維が炭素繊維を含む、請求項１〜７のいずれかに記載の複合成形体の製造方法。
【請求項９】
互いに逆方向に凹型に傾斜する少なくとも２つの傾斜面を有する形状の側面で、かつ、その側面の少なくとも一部に、厚みＴに対し深さが０．１Ｔから０．９Ｔの範囲内にあるアンダーカット形状を有する形状の側面を有する、マトリックス樹脂が熱可塑性樹脂からなる繊維強化樹脂Ａが、液状化した樹脂Ｂの供給により複合成形体の少なくとも一方の表面に配置されるようにインサート成形されていることを特徴とする複合成形体。
【請求項１０】
前記繊維強化樹脂Ａが繊維強化樹脂を積層・一体化されたものである、請求項９に記載の複合成形体。
【請求項１１】
前記繊維強化樹脂Ａが、数平均繊維長２ｍｍ以上の強化繊維を含む繊維強化樹脂からなる、請求項９または１０に記載の複合成形体。
【請求項１２】
前記繊維強化樹脂Ａの強化繊維が連続繊維であり、かつ、一方向に配向されている、請求項９〜１１のいずれかに記載の複合成形体。
【請求項１３】
前記液状化した樹脂Ｂが射出成形または射出圧縮成形により型内に供給される、請求項９〜１２のいずれかに記載の複合成形体。
【請求項１４】
前記樹脂Ｂが熱可塑性樹脂からなる、請求項９〜１３のいずれかに記載の複合成形体。
【請求項１５】
前記樹脂Ｂが数平均繊維長２ｍｍ未満の強化繊維を含む樹脂からなる、請求項９〜１４のいずれかに記載の複合成形体。
【請求項１６】
前記繊維強化樹脂Ａの強化繊維、および／または、前記樹脂Ｂの強化繊維が炭素繊維を含む、請求項９〜１５のいずれかに記載の複合成形体。
【手続補正２】
【補正対象書類名】明細書
【補正対象項目名】０００７
【補正方法】変更
【補正の内容】
【０００７】
上記課題を解決するために、本発明に係る複合成形体の製造方法は、予め成形した、マトリックス樹脂が熱可塑性樹脂からなる繊維強化樹脂Ａを予備成形体として型内に配置し、該型内の前記繊維強化樹脂Ａ周りに液状化した樹脂Ｂを供給して前記繊維強化樹脂Ａをインサート成形する複合成形体の製造方法であって、前記繊維強化樹脂Ａの前記樹脂Ｂに接触する側面として、互いに逆方向に凹型に傾斜する少なくとも２つの傾斜面を有する形状の側面で、かつ、その側面の少なくとも一部に、深さが前記繊維強化樹脂Ａの厚みＴに対し０．１Ｔ〜０．９Ｔの範囲内にあるアンダーカット形状を有する形状の側面を、インサート成形前に形成しておき、インサート成形前に前記繊維強化樹脂Ａを型の内面上に配置し、前記繊維強化樹脂Ａが複合成形体の少なくとも一方の表面に配置されるように前記樹脂Ｂを供給することを特徴とする方法からなる。
【手続補正３】
【補正対象書類名】明細書
【補正対象項目名】０００８
【補正方法】変更
【補正の内容】
【０００８】
このような本発明に係る複合成形体の製造方法においては、インサート成形される繊維強化樹脂Ａには、樹脂Ｂに接触する側面として、互いに異なる角度で、とくに互いに逆方向に、凹型に傾斜する少なくとも２つの傾斜面を有する形状の側面が、インサート成形前に形成されている。インサート成形時には、樹脂Ｂがこの傾斜面を有する繊維強化樹脂Ａの側面部にも流れ込んでくることになるが、もしこの側面部に樹脂Ｂが流れ込みにくい閉空間が形成されてしまうと、前述の如く繊維強化樹脂Ａと樹脂Ｂとの接着性を向上させる目的を達成し難くなり、その部位に望ましくない溝や空間が形成されて、水分の侵入などによる環境耐久性の問題を引き起こしたり、複合成形体の外観の品位を低下させたりする問題を招くおそれがある。しかし本発明では、繊維強化樹脂Ａの側面が少なくとも２つの傾斜面を有する形状の側面に形成されており、これら２つの傾斜面は互いに逆方向に凹型に傾斜する傾斜面からなるので、両傾斜面間の角度は、例えば一つの面からなる側面（例えば一つの傾斜面からなる側面）と、繊維強化樹脂Ａが配置された型の内面（例えば、繊維強化樹脂Ａの上下面のいずれか一方の面が接する型の内面）との間の角度に比べ、容易にはるかに大きな角度とされる。したがって、両傾斜面間には、樹脂Ｂが流れ込みにくい閉空間は形成され難くなり、樹脂Ｂは繊維強化樹脂Ａの側面全面にわたって良好に接触するまで流れ込むことが可能になる。その結果、繊維強化樹脂Ａと樹脂Ｂとの接着性およびその信頼性が確保され、かつ、得られる複合成形体の外観の品位の低下も防止される。そして、繊維強化樹脂Ａの側面が互いに逆方向に凹型に傾斜する少なくとも２つの傾斜面を有し、かつ、両傾斜面間には上記の如く樹脂Ｂが望ましくない閉空間を形成することなく良好に流れ込んでくるので、複合成形体として、樹脂Ｂから繊維強化樹脂Ａ部が極めて脱落しにくい形態が達成され（つまり、繊維強化樹脂Ａの側面部には繊維強化樹脂Ａ本体側に入り込んだ凹型形状、とくに本発明ではアンダーカット形状が形成される形態が達成され）、繊維強化樹脂Ａと樹脂Ｂとの間の接合強度が極めて高い複合成形体が実現される。
【手続補正４】
【補正対象書類名】明細書
【補正対象項目名】０００９
【補正方法】変更
【補正の内容】
【０００９】
なお、上記繊維強化樹脂Ａの側面に形成される、互いに異なる角度で凹型に傾斜する少なくとも２つの傾斜面は、両傾斜面の端部同士が直接接続されて両傾斜面間に角度の変曲点を有する形態とすることもできるし、両傾斜面間に両傾斜面の中間の角度の側面部分を有する形態とすることもできるし、両傾斜面間を断面形状が円弧状の側面部分で接続した形態とすることもできる。また、互いに異なる角度で凹型に傾斜する少なくとも２つの傾斜面は、必ずしも、逆方向に同じ角度で傾斜している必要はなく、互いに異なる角度で逆方向に傾斜していてもよい。
【手続補正５】
【補正対象書類名】明細書
【補正対象項目名】００１０
【補正方法】変更
【補正の内容】
【００１０】
上記本発明に係る複合成形体の製造方法においては、前記繊維強化樹脂Ａの側面として、互いに逆方向に傾斜する少なくとも２つの傾斜面を有し、該側面のいずれかの部分が多かれ少なかれ繊維強化樹脂Ａ本体側に入り込んだアンダーカット形状が形成されることになるが、この側面の少なくとも一部に、深さが繊維強化樹脂Ａの厚みＴに対し０．１Ｔ〜０．９Ｔの範囲内にあるアンダーカット形状をインサート成形前に形成しておく。アンダーカット形状の深さが０．１Ｔ未満であると、上述の閉空間を形成する可能性が残るだけでなく、アンダーカット形状による樹脂Ｂの繊維強化樹脂Ａの保持強度が低くなり、成形後における繊維強化樹脂Ａと樹脂Ｂとの間の接合強度が低下するおそれがある。アンダーカット形状の深さが０．９Ｔを超えると、同様にアンダーカット形状による樹脂Ｂの繊維強化樹脂Ａの保持強度が低くなるだけでなく、繊維強化樹脂Ａの厚みＴに対してアンダーカット形状の深さが深くなりすぎ、また、傾斜面の傾斜角も大きくなりすぎるおそれがあるため、この繊維強化樹脂Ａの側面部に樹脂Ｂが流れ込みにくくなるおそれがある。
【手続補正６】
【補正対象書類名】明細書
【補正対象項目名】００１１
【補正方法】変更
【補正の内容】
【００１１】
そして、繊維強化樹脂Ａが成形されるべき複合成形体中のどの位置に配置されるかについては、本発明では、インサート成形前に上記繊維強化樹脂Ａを型の内面上に配置し、上記繊維強化樹脂Ａが複合成形体の少なくとも一方の表面に配置されるように前記樹脂Ｂを供給することとしている。すなわち、上記繊維強化樹脂Ａが複合成形体の少なくとも一方の表面に配置されていると、インサート成形前に繊維強化樹脂Ａを型の内面上に配置すればよいことになるので、型内への繊維強化樹脂Ａの配置、ひいては、樹脂Ｂの供給によるインサート成形が容易化される。
【手続補正７】
【補正対象書類名】明細書
【補正対象項目名】００１９
【補正方法】変更
【補正の内容】
【００１９】
本発明に係る複合成形体は、互いに逆方向に凹型に傾斜する少なくとも２つの傾斜面を有する形状の側面で、かつ、その側面の少なくとも一部に、厚みＴに対し深さが０．１Ｔから０．９Ｔの範囲内にあるアンダーカット形状を有する形状の側面を有する、マトリックス樹脂が熱可塑性樹脂からなる繊維強化樹脂Ａが、液状化した樹脂Ｂの供給により複合成形体の少なくとも一方の表面に配置されるようにインサート成形されていることを特徴とするものからなる。このような複合成形体は、上述したような方法により製造できる。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
また、本発明に係る複合成形体においては、上記繊維強化樹脂Ａが繊維強化樹脂を積層・一体化されたものであることも好ましい形態である。